(57)【要約】【課題】より精度の高いチーム感情を算出することが可能な技術が提供されることが求められている。【解決手段】複数のユーザーの職制データに基づいて、社会関係性を示す情報を生成する社会関係性情報管理部と、前記複数のユーザーそれぞれのセンサデータまたは前記センサデータに基づく情報と前記社会関係性を示す情報とに基づいて、チーム感情を推定するチーム感情推定部と、を備える、感情推定サーバが提供される。【選択図】図１
2018138155.tif 000002
【特許請求の範囲】
【請求項１】
複数のユーザーの職制データに基づいて、社会関係性を示す情報を生成する社会関係性情報管理部と、
前記複数のユーザーそれぞれのセンサデータまたは前記センサデータに基づく情報と前記社会関係性を示す情報とに基づいて、チーム感情を推定するチーム感情推定部と、
を備える、感情推定サーバ。
【請求項２】
前記感情推定サーバは、
前記複数のユーザーそれぞれのセンサデータに基づいて、ユーザーごとの個人感情を推定する個人感情推定部を備え、
前記チーム感情推定部は、前記センサデータに基づく情報として前記個人感情を示す情報を得る、
請求項１に記載の感情推定サーバ。
【請求項３】
前記チーム感情推定部は、前記センサデータに基づく情報として前記複数のユーザーそれぞれのセンサデータの特徴量データを得る、
請求項１に記載の感情推定サーバ。
【請求項４】
前記チーム感情推定部は、前記社会関係性を示す情報に基づいて重み付け係数を算出し、前記センサデータまたは前記センサデータに基づく情報と前記重み付け係数とに基づいて、前記チーム感情を推定する、
請求項１に記載の感情推定サーバ。
【請求項５】
前記チーム感情推定部は、前記センサデータまたは前記センサデータに基づく情報に対して、前記重み付け係数によって重み付けを行い、当該重み付けがされたデータの平均値、中央値または最頻値を前記チーム感情として算出する、
請求項４に記載の感情推定サーバ。
【請求項６】
前記社会関係性情報管理部は、前記職制データに基づいて、前記社会関係性を示す情報を生成する、
請求項１に記載の感情推定サーバ。
【請求項７】
前記社会関係性を示す情報は、前記複数のユーザーの二者間の関係性の強度を含む、
請求項６に記載の感情推定サーバ。
【請求項８】
複数のユーザーの職制データに基づいて、社会関係性を示す情報を生成することと、
前記複数のユーザーそれぞれのセンサデータまたは前記センサデータに基づく情報と前記社会関係性を示す情報とに基づいて、チーム感情を推定することと、
を含む、感情推定方法。
【請求項９】
複数のユーザーの職制データに基づいて生成された社会関係性を示す情報と、前記複数のユーザーそれぞれのセンサデータまたは前記センサデータに基づく情報とに基づいて、推定されたチーム感情を示す情報を提示する提示部、
を備える、提示装置。
【請求項１０】
前記提示部は、複数のチームそれぞれのチーム感情を示す情報を、チーム同士のつながりが強いほど近い領域に提示する、
請求項９に記載の提示装置。
【請求項１１】
前記提示部は、前記チーム感情を示す情報と前記複数のユーザーそれぞれの個人感情とを感情のカテゴリごとに提示する、
請求項９に記載の提示装置。
【請求項１２】
複数のユーザーの職制データに基づいて、社会関係性を示す情報を生成する社会関係性情報管理部と、
前記複数のユーザーそれぞれのセンサデータまたは前記センサデータに基づく情報と前記社会関係性を示す情報とに基づいて、チーム感情を推定するチーム感情推定部と、
を備える、感情推定サーバと、
前記チーム感情を示す情報を提示する提示部、
を備える提示装置と、
を有する、感情推定システム。
【発明の詳細な説明】
【技術分野】
【０００１】
本発明は、感情推定サーバ装置、感情推定方法、提示装置及び感情推定システムに関する。
【背景技術】
【０００２】
従来、ある人物の行動や生理反応を、各種センサを用いて外的に計測し、得られたデータから当該人物の内的な心理状態（たとえば感情）を推定する技術が存在する。そのような感情推定技術は、たとえばサービスロボットのように対人的なサービスを提供する機械のヒューマン・マシン・インタラクションに関する性能を向上させることに用いられたり、テレワークのように物理的に離れた環境下にある相手の状況を理解することの支援に用いられたりする。
【０００３】
一例として、特許文献１には、カメラ、マイクロフォン、生体信号等の複数の計測指標データを用いてある人物の感情を推定する感情推定装置が提案されている。
【０００４】
特許文献１に記載された技術のように、「ひとりの」人物の感情（以下「個人感情」）の推定を行う技術は既存に数多く存在する。一方で、「複数の」人物の協働活動により醸成される場の感情的な雰囲気（以下「チーム感情」）を推定し、その推定情報のユーザー共有を支援するような技術は少ない。
【０００５】
一例として、特許文献２には、複数の個人の生体センサから受信した生体情報が特徴抽出済みの生体情報であるか否かを判断し、前記特徴抽出済みと判断された生体情報の特徴情報に基づき集団の感情情報を推定する集団感情推定装置が提案されている。
【先行技術文献】
【特許文献】
【０００６】
【特許文献１】特開２０１２−５９１０７号公報
【特許文献２】特開２０１６−７３６３号公報
【発明の概要】
【発明が解決しようとする課題】
【０００７】
あらゆる仕組みが高度に複雑化する現代社会においては、ひとりの人物の作業のみで生み出せる成果には限界があり、自ずと複数名のチームによる協働型の仕事が多くなる。前述の感情推定技術においても、個人感情だけでなく、複数の人物の協働活動により醸成されるチーム感情を推定する方法の必要性が今後高まるだろう。
【０００８】
そこで、より精度の高いチーム感情を推定することが可能な技術が提供されることが求められている。
【課題を解決するための手段】
【０００９】
上記問題を解決するために、本発明のある観点によれば、複数のユーザーの職制データに基づいて、社会関係性を示す情報を生成する社会関係性情報管理部と、前記複数のユーザーそれぞれのセンサデータまたは前記センサデータに基づく情報と前記社会関係性を示す情報とに基づいて、チーム感情を推定するチーム感情推定部と、を備える、感情推定サーバが提供される。
【００１０】
前記感情推定サーバは、前記複数のユーザーそれぞれのセンサデータに基づいて、ユーザーごとの個人感情を推定する個人感情推定部を備え、前記チーム感情推定部は、前記センサデータに基づく情報として前記個人感情を示す情報を得てもよい。
【００１１】
前記チーム感情推定部は、前記センサデータに基づく情報として前記複数のユーザーそれぞれのセンサデータの特徴量データを得てもよい。
【００１２】
前記チーム感情推定部は、前記社会関係性を示す情報に基づいて重み付け係数を算出し、前記センサデータまたは前記センサデータに基づく情報と前記重み付け係数とに基づいて、前記チーム感情を推定してもよい。
【００１３】
前記チーム感情推定部は、前記センサデータまたは前記センサデータに基づく情報に対して、前記重み付け係数によって重み付けを行い、当該重み付けがされたデータの平均値、中央値または最頻値を前記チーム感情として算出してもよい。
【００１４】
前記社会関係性情報管理部は、前記職制データに基づいて、前記社会関係性を示す情報を生成してもよい。
【００１５】
前記社会関係性を示す情報は、前記複数のユーザーの二者間の関係性の強度を含んでもよい。
【００１６】
また、本発明の他の観点によれば、複数のユーザーの職制データに基づいて、社会関係性を示す情報を生成することと、前記複数のユーザーそれぞれのセンサデータまたは前記センサデータに基づく情報と前記社会関係性を示す情報とに基づいて、チーム感情を推定することと、を含む、感情推定方法が提供される。
【００１７】
また、本発明の他の観点によれば、複数のユーザーの職制データに基づいて生成された社会関係性を示す情報と、前記複数のユーザーそれぞれのセンサデータまたは前記センサデータに基づく情報とに基づいて、推定されたチーム感情を示す情報を提示する提示部、を備える、提示装置が提供される。
【００１８】
前記提示部は、複数のチームそれぞれのチーム感情を示す情報を、チーム同士のつながりが強いほど近い領域に提示してもよい。
【００１９】
前記提示部は、前記チーム感情を示す情報と前記複数のユーザーそれぞれの個人感情とを感情のカテゴリごとに提示してもよい。
【００２０】
また、本発明の他の観点によれば、複数のユーザーの職制データに基づいて、社会関係性を示す情報を生成する社会関係性情報管理部と、前記複数のユーザーそれぞれのセンサデータまたは前記センサデータに基づく情報と前記社会関係性を示す情報とに基づいて、チーム感情を推定するチーム感情推定部と、を備える、感情推定サーバと、前記チーム感情を示す情報を提示する提示部、を備える提示装置と、を有する、感情推定システムが提供される。
【発明の効果】
【００２１】
以上説明したように本発明によれば、より精度の高いチーム感情を推定することが可能な技術が提供されることが可能となる。
【図面の簡単な説明】
【００２２】
【図１】本実施形態に係る感情推定システムの概略的な構成の一例を示す説明図である。
【図２】同実施形態に係る感情推定サーバ、職制ＤＢサーバ、センサ端末、情報提示端末のハードウェア構成の一例を示すブロック図である。
【図３】同実施形態に係る職制ＤＢサーバの機能構成の一例を示すブロック図である。
【図４】同実施形態に係る感情推定サーバの機能構成の一例を示すブロック図である。
【図５】同実施形態に係る情報提示端末の機能構成の一例を示すブロック図である。
【図６】ある組織における職制の適用事例の一例を示す説明図である。
【図７】ある組織における職制データベースの一例を示す説明図である。
【図８】ある組織における職制に基づく社会関係性情報の一例を示す説明図である。
【図９】ある組織における個人感情を示す情報とチーム感情を示す情報の一例を示す説明図である。
【図１０】情報提示端末のアプリケーション画面の一例を示す説明図である。
【図１１】同実施形態に係る感情推定システムの情報処理の概略的な流れの一例を示すフロー図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
また、本明細書及び図面において、実質的に同一または類似の機能構成を有する複数の構成要素を、同一の符号の後に異なるアルファベットを付して区別する。ただし、実質的に同一または類似の機能構成を有する複数の構成要素の各々を特に区別する必要がない場合、同一符号のみを付する。
【００２５】
まず、前述の特許文献２の課題について説明する。前述の特許文献２は、個人感情から集団の感情情報を推定する方法について説明しているが、下記に述べる二点の大きな課題を有している。
【００２６】
一点目の課題は、特許文献２が、感情を推定する対象となる集団の構成人物をどのように規定・選定するかについての説明をまったく行っていない点である。たとえば、所属人員が数千名や数万名にも上るような巨大組織においては、同じ組織に所属しているとはいっても日常においては接点がなく名前も顔も知らない人物の数の方が顔見知りである数よりもはるかに多いであろう。そのような交流のない人物同士について集団の感情を合わせて算出したとしても、そのチーム感情を示す情報は（当該人物同士はチームではないため）ほとんど意味を持たないであろう。
【００２７】
二点目の課題は、特許文献２が、集団の感情を算出する際に当該集団の構成人員間の「社会関係性」を影響要素に入れた推定処理を行う旨の説明を行っていない点である。たとえば、数十から数百名にも上る関係者が同時に関わるような大きな業務プロジェクトにおいては、協働関係といっても、同じチーム内の同僚で毎日共同作業を行うような強い社会関係性もあれば、所属部署が異なり月に数える程の接点しか持たないような弱い社会関係性もあるだろう。当然、前者の強い社会関係性を持った人物同士の方が、後者の弱い社会関係性である場合よりもチーム感情において人物同士がお互いに及ぼす影響は大きくなり、チーム感情の推定においてもその影響度を大きく設定されることが推定精度の向上に寄与すると考えられる。特許文献２には、センサデータの特徴情報が抽出された時間や場所の情報を集団の感情算出の重み付けに用いる方法に関する説明はあるが、上述の社会関係性への言及やそれを推定処理に用いる旨の記載はない。
【００２８】
チーム感情の推定技術に関して、特許文献２が有する上記二点の課題を解決するためには、集団のチーム感情の要素となる構成人物が互いに社会関係性を有するか否か、さらに、当該社会関係性の強さ、の情報を推定システムがチーム感情の推定処理に用いる仕組みが必要である。
【００２９】
そこで、本発明は、個人感情に基づく「チーム感情」の推定処理に係る技術に関するものであり、チームの要素となる集団の構成人物の選定及びチーム感情算出の際の重み付けを当該構成人物間の「社会関係性」の有無及びその強さに基づいて処理することで精度の高いチーム感情を算出できる感情推定システムを実現させるものであって、さらに、当該社会関係性は、当該構成人物たちが所属する組織が有する組織内情報基盤上にある当該組織所属人員の「職制」情報のデータベースから当該システムの「社会関係性情報管理部」が取得するデータに基づき、推定演算用のパラメータデータに変換されて当該チーム感情が推定されることを特徴とするチーム感情推定システムを提供することを目的とする。
【００３０】
特に、本発明は、職制データという「フォーマル」（formal）な社会関係性を示す情報を利用する点が特徴となる。
【００３１】
続いて、図１を参照して、本発明の実施形態に係るチーム感情推定システム（以下「感情推定システム」）の概略的な構成を説明する。
【００３２】
図１は、本実施形態に係る感情推定システムの概略的な構成の一例を示す説明図である。図１を参照すると、当感情推定システムは、感情推定サーバ１００、職制ＤＢサーバ３００、複数のユーザー９００、複数のセンサ端末２００、提示装置（以下「情報提示端末」とも言う。）４００、ＬＡＮ（Local Area Network）５０を含む。
【００３３】
職制ＤＢサーバ３００は、当感情推定システムのために新たに用意されなくてよい。職制ＤＢサーバ３００としては、たとえば社内イントラネットワーク上（もしくはクラウドネットワーク上）に存在する既存の社内情報基盤上にある、所属所員の職制に係るデータベース（ＤＢ）を記憶する記憶部と通信部とを備える既存のサーバ設備が利用されてもよい。
【００３４】
複数のユーザー９００は、ともにある組織に所属し、互いに職制による社会関係性を有する（詳細は後述）。
【００３５】
図２は、本実施形態に係る感情推定サーバ１００、職制ＤＢサーバ３００、センサ端末２００、情報提示端末４００（以下、感情推定サーバ１００、職制ＤＢサーバ３００、センサ端末２００及び情報提示端末４００それぞれを区別せずに「本実施形態に係る装置」と言う場合がある。）のハードウェア構成の一例を示すブロック図である。なお、上記の各装置のすべてに下記のハードウェア構成のすべてが備えられている必要はなく（たとえば感情推定サーバ１００に直接的にセンサが備えられている必要はない）、後述する各装置の機能構成を実現できるハードウェアモジュールが適宜限定して備えられてもよい。
【００３６】
図２を参照すると、本実施形態に係る装置は、バス８０１、ＣＰＵ（Central Processing Unit）８０３、ＲＯＭ（Read Only
Memory）８０５、ＲＡＭ（Random Access Memory）８０７、記憶装置８０９、通信インタフェース８１１、センサ８１３、入力装置８１５、表示装置８１７、スピーカ８１９を備える。
【００３７】
ＣＰＵ８０３は、本実施形態に係る装置における様々な処理を実行する。また、ＲＯＭ８０５は、本実施形態に係る装置における処理をＣＰＵ８０３に実行させるためのプログラム及びデータを記憶する。また、ＲＡＭ８０７は、ＣＰＵ８０３の処理の実行時に、プログラム及びデータを一時的に記憶する。
【００３８】
バス８０１は、ＣＰＵ８０３、ＲＯＭ８０５及びＲＡＭ８０７を相互に接続する。バス８０１には、さらに、記憶装置８０９、通信インタフェース８１１、センサ８１３、入力装置８１５、表示装置８１７及びスピーカ８１９が接続される。バス８０１は、例えば、複数の種類のバスを含む。
【００３９】
一例として、バス８０１は、ＣＰＵ８０３、ＲＯＭ８０５及びＲＡＭ８０７を接続する高速バスと、当該高速バスよりも低速の１つ以上の別のバスを含む。
【００４０】
記憶装置８０９は、本実施形態に係る装置内で一時的または恒久的に保存すべきデータを記憶する。記憶装置８０９は、例えば、ハードディスク（Hard Disk）等の磁気記憶装置であってもよく、または、ＥＥＰＲＯＭ（Electrically
Erasable and Programmable Read Only Memory）、フラッシュメモリ（flash
memory）、ＭＲＡＭ（Magnetoresistive Random Access Memory）、ＦｅＲＡＭ（Ferroelectric Random Access Memory）及びＰＲＡＭ（Phase
change Random Access Memory）等の不揮発性メモリ（nonvolatile
memory）であってもよい。
【００４１】
通信インタフェース８１１は、本実施形態に係る装置が備える通信手段であり、ネットワークを介して（あるいは直接的に）外部装置と通信する。通信インタフェース８１１は、無線通信用のインタフェースであってもよく、この場合に、例えば、通信アンテナ、ＲＦ回路及びその他の通信処理用の回路を含んでもよい。また、通信インタフェース８１１は、有線通信用のインタフェースであってもよく、この場合に、例えば、ＬＡＮ端子、伝送回路及びその他の通信処理用の回路を含んでもよい。
【００４２】
センサ８１３は、たとえばカメラ、マイクロフォン、その他のセンサまたはそれらの複合である。カメラは、被写体を撮像するもので、例えば光学系、撮像素子及び画像処理回路を含む。マイクロフォンは、周囲の音を収音するもので、当該音を電気信号へ変換し当該電気信号をデジタルデータに変換する。
【００４３】
入力装置８１５は、タッチパネル、マウス、視線検出装置等である。表示装置８１７は、本実施形態に係る装置からの出力画像（すなわち表示画面）を表示するもので、例えば液晶、有機ＥＬ（Organic Light-Emitting Diode）、ＣＲＴ（Cathode
Ray Tube）等を用いて実現され得る。スピーカ８１９は、音声を出力するもので、デジタルデータを電気信号に変換し当該電気信号を音声に変換する。
【００４４】
次に、本実施形態に係る「センサ端末２００」の機能構成の一例を説明する。
【００４５】
センサ端末２００は、ユーザー９００の行動や生理反応を外的に計測し、該計測により取得したデータを、後述する感情推定サーバ１００へ送信する。センサ端末２００が有するセンサ８１３と計測する行動や生理反応のデータは、たとえば、カメラにより計測される顔表情や身体姿勢の状態内容を含む画像データ、マイクロフォンにより計測される音声データ、加速度センサにより計測される身体動作の加速度データ、キーボード・マウス・タッチパネル等の入力装置により計測される機器操作データ、各種生体センサにより計測される自律神経系活動（心拍活動、皮膚電気活動、血圧、発汗、呼吸、皮膚・深部体温等）のデータ、中枢神経系活動（脳波、脳血流等）のデータ、視線計測装置により計測される視線運動・瞳孔径・瞬目数等のデータを含む。
【００４６】
センサ端末２００のセンサはユーザーへの非接触式でも接触式でもよい。センサ端末２００のセンサが接触式の場合、たとえばセンサ端末２００は腕時計等の形状をしたウェアラブル端末であっても構わない。また、センサ端末２００は、カメラ、マイクロフォン、加速度センサ、通信部等を備えたスマートフォン端末であっても構わない。なお、センサ端末２００は１名のユーザー９００に対応して１台存在するように図１では図示されている。しかし、１台のセンサ端末２００が複数のユーザー９００のセンサデータを取得しても構わない。その場合、センサ端末２００は複数のユーザー９００それぞれについてセンサデータと計測対象人物の識別データとの１対１対応の紐づけ処理を行って、センサデータと計測対象人物の識別データとの各組み合わせを記憶または送信する。計測対象人物の識別データは、どのようにして得られてもよく、一例として、カメラによる撮像画像から顔認識によって特定される人物の識別データであってもよい。
【００４７】
また、センサ端末２００は、計測したデータを一時的に保存するための記憶部を備えていてもよい。また、センサ端末２００は、計測だけでなく簡易な解析までを実施してもよいため、解析演算用の制御部を備えていてもよい。また、センサ端末２００は、計測または簡易解析済みのデータを感情推定サーバ１００へ送信するための通信部を備えていてもよい。なお、前記記憶部は記憶装置８０９により、前記制御部はＣＰＵ８０３、ＲＯＭ８０５及びＲＡＭ８０７により、前記通信部は通信インタフェース８１１により実装され得る。
【００４８】
次に、図３を参照して、本実施形態に係る「職制ＤＢサーバ３００」の機能構成の一例を説明する。
【００４９】
図３は、本実施形態に係る職制ＤＢサーバ３００の機能構成の一例を示すブロック図である。図３を参照すると、職制ＤＢサーバ３００は、通信部３１０、記憶部３２０及び制御部３３０を備える。
【００５０】
通信部３１０は、他の装置と通信する。たとえば、通信部３１０は、ＬＡＮ５０に直接的に接続され、後述する感情推定サーバ１００と通信する。なお、通信部３１０は、通信インタフェース８１１により実装され得る。
【００５１】
記憶部３２０は、当感情推定システムを利用する組織の所属人員の職制に関するデータベースを記憶する。なお、記憶部３２０は、記憶装置８０９により実装され得る。
【００５２】
ここで、職制とは、たとえば「職務の分担に関する制度」（広辞苑第六版、新村出編、２００８）であり、本実施形態においては、職制は職務内容だけでなく本実施形態に係る感情推定システムを利用する組織の所属員の「職位」や「職種」等に関する情報も含むものとする。
【００５３】
以下、職制のデータに関する説明を、図６と図７を用いて例示しながら行う。図６は、ある組織における職制の適用事例の一例を示す説明図である。図６には、当感情推定システムを利用する組織に所属する複数のユーザー９００が図示されている。ここで、ユーザー９００Ａ、９００Ｂ、９００Ｃ、９００Ｆは職制としてチーム（もしくは課）Ｚに所属しており、かつユーザー９００Ｆの職位はチームマネージャー（もしくは課長）であり、一般社員である９００Ａ、９００Ｂ、９００Ｃの直属の上司にあたり、職制によって部下９００Ａ、９００Ｂ、９００Ｃに対する業務における指揮命令権を有する。また、チームマネージャー９００Ｆの上司として部長の職位にある９００Ｈが存在し、部長９００Ｈは職制によってチームマネージャー９００Ｆに対する業務における指揮命令権を有する。さらに、部長９００Ｈの下には、チームＺと同様に、チームＹとしてチームマネージャー９００Ｇと一般社員９００Ｄ、９００Ｅが存在している。そして、上述のユーザー９００Ａ、９００Ｂ、９００Ｃ、９００Ｄ、９００Ｅ、９００Ｆ、９００Ｇ、９００Ｈはともに部Ｘに所属している。なお、図６に示すように、部Ｘの隣には部Ｗやその他の部が存在していてもよく、該部Ｗやその他の部は、各職位の人数構成は異なるものの基本的には部Ｘと同様の職制構造や機能を有していてよい。さらに、図６には示していないが、部Ｘや部Ｗのさらに上位として部門や、ユーザー９００の職位として代表取締役やその他役員が存在していてもよい。
【００５４】
各ユーザー９００は、上述の職制に基づき、直属の上司／部下の関係にあるか、同じチーム内の同僚関係にあるか、それとも別の部であるか等の業務上のフォーマルな社会関係性を規定されている。本実施形態においては、同階層または一階層内でかつ所属部署が同一または隣接しているような職制の階層構造内で近い距離にあるほど強い社会関係性を持つという法則性を提案する。もちろん、階層の超越、たとえば上述の部長９００Ｈは一般社員９００Ａ、９００Ｂ、９００Ｃなどに対しても業務における指揮命令権を有しており、直接的に指揮命令を行うことは可能ではあるが、そのような行為は本来の階層型職制構造が規定する基本的な働きからみると例外的な行動となるため、本実施形態では基本に沿って階層構造の近さと社会関係性の強さを紐づけた。ただし、上述の階層構造を超越する関係性も例外的事項として後述する職制データベースに情報が記録されていれば、本実施形態に係る処理データとして用いることは可能である。
【００５５】
図７は、ある組織における職制データベースの一例を示す説明図である。図７には、図６で説明した組織の職制の一例に対応する職制データベースのテーブル３２１が図示されている。職制データベースのテーブル３２１は、たとえば、職制が適用される組織の構成員を一意に特定する社員ＩＤ（たとえば９００Ａ、９００Ｂ、…）、該構成員の所属部署、該構成員の職位を示す情報に対応するデータを含む。職制データベースのテーブル３２１には、図６で説明したユーザー９００Ａ、９００Ｂ、９００Ｃ、９００Ｄ、９００Ｅ、９００Ｆ、９００Ｇ、９００Ｈの職制に関する記憶データが図示されており、当該データを基に図６に示したような職制の社会関係性を示す情報を求めることができる。
【００５６】
なお、職制データベースのテーブル３２１の１０行目のユーザー９００Ｈのデータに例示したように、ユーザー９００は複数の職種や職位を有していてもよく、職制データベースはそれに対応するようにデータを記録してもよい。このようにユーザーと複数の所属や職位との紐づけを認める仕組みを有することにより、たとえば部門間横断プロジェクトのような、階層型職制構造にとっては例外的な職務に携わるユーザー９００にも本実施形態に係る感情推定システムは対応することができる。
【００５７】
なお、前述のように、職制ＤＢサーバ３００は、当感情推定システムのために新たに用意される必要はなく、当感情推定システムを利用する組織が既に有している社内情報基盤上の職制に係る既存データを流用して構わない。
【００５８】
制御部３３０は、職制ＤＢサーバ３００の様々な機能を提供する。また、制御部３３０は、通信部３１０を介して、他の通信装置、たとえば感情推定サーバ１００からの要求に応じて、上述の記憶部３２０に記憶された職制データベースの部分情報を含むデータを該通信装置へ送信する機能を有する。なお、制御部３３０は、ＣＰＵ８０３、ＲＯＭ８０５及びＲＡＭ８０７により実装され得る。
【００５９】
次に、図４を参照して、本実施形態に係る「感情推定サーバ１００」の機能構成の一例を説明する。図４は、本実施形態に係る感情推定サーバ１００の機能構成の一例を示すブロック図である。図４を参照すると、感情推定サーバ１００は、通信部１１０、記憶部１２０及び制御部１３０を備える。
【００６０】
通信部１１０は、他の装置と通信する。たとえば、通信部１１０は、ＬＡＮ５０に直接的に接続され、センサ端末２００や職制ＤＢサーバ３００と通信する。なお、通信部１１０は、通信インタフェース８１１により実装され得る。
【００６１】
記憶部１２０は、感情推定サーバ１００の動作のためのプログラム及びデータを記憶する。なお、記憶部１２０は、記憶装置８０９により実装され得る。
【００６２】
制御部１３０は、感情推定サーバ１００の様々な機能を提供する。制御部１３０は、個人感情推定部１３１、社会関係性情報管理部１３３及びチーム感情推定部１３５を含む。なお、制御部１３０は、ＣＰＵ８０３、ＲＯＭ８０５及びＲＡＭ８０７により実装され得る。個人感情推定部１３１、社会関係性情報管理部１３３及びチーム感情推定部１３５それぞれの機能については、後に説明する。
【００６３】
次に、図５を参照して、本実施形態に係る「情報提示端末４００」の機能構成の一例を説明する。図５は、本実施形態に係る情報提示端末４００の機能構成の一例を示すブロック図である。図５を参照すると、情報提示端末４００は、通信部４１０、記憶部４２０、制御部４３０、操作部４４０及び提示部４５０を備える。
【００６４】
通信部４１０は、他の装置と通信する。たとえば、通信部４１０は、ＬＡＮ５０に直接的に接続され、感情推定サーバ１００と通信する。たとえば、通信部４１０は、感情推定サーバ１００からチーム感情を示す情報を取得する。なお、通信部４１０は、通信インタフェース８１１により実装され得る。
【００６５】
記憶部４２０は、情報提示端末４００の動作のためのプログラム及びデータを記憶する。たとえば、記憶部４２０は、通信部４１０によって感情推定サーバ１００から取得されたチーム感情を示す情報を一時的に保存する。なお、記憶部４２０は、記憶装置８０９により実装され得る。
【００６６】
制御部４３０は、情報提示端末４００の様々な機能を提供する。たとえば、制御部４３０は、チーム感情を示す情報を可視化し、チーム感情を示す情報が提示部４５０によって提示されるように提示部４５０を制御する。なお、制御部４３０は、ＣＰＵ８０３、ＲＯＭ８０５及びＲＡＭ８０７により実装され得る。
【００６７】
操作部４４０は、ユーザーから入力される操作を受け付ける。操作部４４０は、受け付けた操作を制御部４３０に出力すると、操作は、制御部４３０による各種動作に利用される。なお、操作部４４０は、入力装置８１５により実装され得る。
【００６８】
提示部４５０は、制御部４３０による制御に従って、ユーザーに情報を提示する。たとえば、提示部４５０は、制御部４３０によって可視化されたチーム感情を示す情報をユーザーに提示する。なお、提示部４５０は、表示装置８１７により実装され得る。
【００６９】
個人感情推定部１３１、社会関係性情報管理部１３３及びチーム感情推定部１３５それぞれの機能について説明する。個人感情推定部１３１は、ユーザー９００からセンサ端末２００及び通信部１１０を介して取得した行動や生理反応の計測データに基づいて、ユーザー９００毎の個人感情を推定することによって個人感情の推定データ（個人感情を示す情報）を生成する。また、個人感情推定部１３１は、該生成したデータを記憶部１２０に記憶させる機能を有する。特に、個人感情推定部１３１は、あるユーザー９００から推定した個人感情を示す情報を、該ユーザー９００のＩＤと紐づけて記憶部１２０に記憶させてもよい（たとえば、後述する図９参照のこと）。
【００７０】
ここで、個人感情とその推定方法について説明を補足する。個人感情は、一例として「人が心的過程の中で行うさまざまな情報処理のうちで、人、物、出来事、環境についてする評価的な反応」（Ｏｒｔｏｎｙ  ｅｔ  ａｌ．，１９８８；大平，２０１０）と定義される。感情の具体的な種類としては、心理学者Ｐａｕｌ  Ｅｋｍａｎによる表情に対応する基本感情ベースの離散型モデル上での幸福、驚き、恐れ、怒り、嫌悪、悲しみや、心理学者Ｊａｍｅｓ  Ａ．  Ｒｕｓｓｅｌｌによる快度及び覚醒度の感情次元ベースの連続型モデルにおける喜怒哀楽の象限などが知られている。他の連続型モデルとしては、Ｗａｔｓｏｎによるポジティブまたはネガティブ感情、Ｗｕｎｄｔによる３軸モデル（快度、興奮度、緊張度）、Ｐｌｕｔｃｈｉｋによる４軸のモデルなどもある。その他、応用的・複合的な感情としては、困惑度、関心度、メンタルストレス、集中度、疲労感、多忙度、創造性、リラックス／緊張度、モチベーション、共感度、信頼度などが挙げられる。さらに、業務活動において集団の雰囲気として体感されるイキイキ感なども高次な感情の一種といえる。
【００７１】
ある人物がどのような感情とその程度にあるかは、たとえば質問紙法を用いることで、当該人物の文字、文章、記号による言語的報告によって求めることができる。当該質問紙としては“Ａｆｆｅｃｔ  Ｇｒｉｄ”などがよく知られている。
【００７２】
しかしながら、質問紙を用いた計測方法では回答作業が必要になるため、業務など何か別の作業を行っている日常生活においては計測それ自体が本来の目的作業に支障を及ぼしてしまう可能性がある。
【００７３】
そこで、当感情推定システムにおいて、個人感情推定部１３１は、前述のセンサ端末２００により計測される行動や生理反応のデータに基づいて（質問紙法等で求めた）感情を機械的に推定処理する。当該推定処理を行うためには、予め学習処理によって生成された感情推定モデルのデータが必要となる。感情推定モデルは、たとえば、ある時点・状況における前記行動や生理反応のデータと前記質問紙の回答データからなる学習データとを対応づけたデータの群から生成される。たとえば、オフィスに埋め込まれた無数のカメラやマイクロフォン、ウェアラブル活動量計から計測されたユーザーの顔表情、音声、心拍活動、皮膚電気活動等の行動・生理データと、当該ユーザーの主観的感情を質問紙回答した正解データとが対応づけられて学習用データとされる。前記行動・生理データは、センサからの計測値が変換された学習処理用の特徴量データであってもよい。
【００７４】
特徴量データは、顔の代表的特徴点の位置や各２点間を結ぶ直線の距離や成す角度であってもよい。あるいは、特徴量データは、音声の基本周波数、パワー、平均発話速度、一次ケプストラム係数の最高値と標準偏差であってもよい。あるいは、特徴量データは、心拍数や拍動間隔の平均値や標準偏差、心拍変動性であってもよい。あるいは、特徴量データは、皮膚コンダクタンス水準の平均値や標準偏差や増減率などであってもよい。これらの特徴量データはどのように使用されてもよく、ある時点における絶対値として使用されてもよいし、２時点間の相対的な変化率として使用されてもよい。
【００７５】
前記学習用データを用いた感情推定モデルの生成には、学習の手法として、たとえば既知のＳＶＭ（Ｓｕｐｐｏｒｔ  Ｖｅｃｔｏｒ  Ｍａｃｈｉｎｅ）や深層学習（Ｄｅｅｐ  Ｌｅａｒｎｉｎｇ）法が用いられてもよいし、単純に回帰分析法が利用されてもよい。また、学習モデルはユーザー個人毎に生成されてもよいし、複数のユーザーの学習データを用いて人間に共通的なモデルが生成されてもよい。個人感情推定部１３１は、得られた感情推定モデルのデータを用いることで、ある人物の行動・生理データから個人感情を推定できるようになる。
【００７６】
感情推定サーバ１００や個人感情推定部１３１は、上述の個人感情推定処理のための学習用データや感情推定モデル自体を生成する機能を有していてもよい。さらに、学習用データのための前述の特徴量データの生成は、感情推定サーバ１００ではなくセンサ端末２００の方で行い、センサ端末２００が、当該特徴量データを感情推定サーバ１００へ送信するようにしてもよい。
【００７７】
社会関係性情報管理部１３３は、後述するチーム感情推定部１３５がチーム感情を推定処理するために必要な、前述の職制に基づく社会関係性を示す情報（以下「社会関係性情報」とも言う）を生成する。そのために、社会関係性情報管理部１３３は、通信部１１０を介して、職制ＤＢサーバ３００から前述の職制データベースの情報を含むデータを取得し、職制に基づく社会関係性を示す情報を生成し、該生成した情報を記憶部１２０に記憶する機能を有する。
【００７８】
図８は、ある組織における職制に基づく社会関係性情報の一例を示す説明図である。図８には、図６や図７で説明した組織の職制の一例に対応する職制に基づく社会関係性情報のテーブル１２１が図示されている。職制に基づく社会関係性情報のテーブル１２１は、たとえば、職制が適用される組織の構成員を一意に特定する社員ＩＤ１、該構成員とは別の構成員の社員ＩＤ２、両者の社会関係性の強さを示すデータを含む。なお、社会関係性の強さとは、前述のように職制の階層構造内で近い距離にあるほど強い社会関係性を持つという法則性により導かれる。図８の例では、ユーザー９００Ａについて、同じチームＺに所属し、直属の上司であるチームマネージャー９００Ｆや同階層の同僚９００Ｂ、９００Ｃとは社会関係性「強」、二階層離れた上司である部長９００Ｈとは社会関係性「中」、別のチームの一般社員９００Ｅとは社会関係性「弱」、日常でまったく接点がない別の部Ｗの社員９００Ｉとは社会関係性「−」（なし）というデータがテーブル１２１に記録されている。
【００７９】
なお、図８の例では社会関係性の強さは「強」「中」「弱」「なし」の４段階となっているが、強度の分類の数は当然これより多くても少なくても構わず、連続的な量的データであっても構わない。また、たとえば三階層以上離れた場合を社会関係性「中」に分類するなど、その分類の閾値は当感情推定システムの管理者が予め任意に設定して構わず、その設定パラメータは予め記憶部１２０に記憶されても構わない。
【００８０】
チーム感情推定部１３５は、個人感情推定部１３１が生成した前述の個人感情を示す情報と、社会関係性情報管理部１３３が生成した前述の職制に基づく社会関係性を示す情報と、に基づいてチーム感情を示す情報を生成する。また、チーム感情推定部１３５は、算出したチーム感情を示す情報を記憶部１２０に記憶する機能を有する。
【００８１】
ここで、チーム感情は、たとえば、予め設定されたユーザーの集団における、構成員毎の個人感情を示す情報が該集団への社会関係性の強さで重み付けされた代表値、たとえば「平均値」「中央値」「最頻値」、として算出される。一例として、チーム感情推定部１３５は、個人感情を示す情報が量的データであり代表値として平均値が採用される場合、チーム感情を示す情報の例として、チーム感情値を以下の（数式１）で求めることができる。
【００８２】
【数１】
2018138155.tif 000003
・・・（数式１）
【００８３】
ただし、ＴＥ：チーム感情値、ｍ：集団において対象とされる二人のユーザーの組み合わせ数、ＱＲ：当該二人のユーザーの社会関係性の強さに対応する重み付け係数、ＲＥ：当該二人のユーザーの各個人感情値から求められる代表値（たとえば「平均値」「中央値」「最頻値」）とする。この際、チーム感情値算出の対象とするユーザーの集団は、図６の例でいえばチームＺでもよいし、チームＹでもよいし、部Ｘ全体でもよいし、ユーザー９００Ｆ、９００Ｇ、９００Ｈだけというように幹部社員に限定されてもよいし、ユーザー９００Ａ、９００Ｂ、９００Ｃ、９００Ｄ、９００Ｅだけというように部Ｘ内の一般社員に限定されてもよい。前述の算出方式により、基になる個人感情値と職制のデータがあれば、任意に設定された集団についてチーム感情値を求めることができる。また、前述のユーザーの組み合わせ数は必ずしも二人である必要はなく、三人以上の組み合わせであってもよい。
【００８４】
ここで、各社会関係性の強さに対応する重み付け係数の値は限定されない。たとえば、社会関係性の強さが強くなるほど、重み付け係数の値は大きくてよい。より詳細には、社会関係性の強さ「強」に対応する重み付け係数は、社会関係性の強さ「中」に対応する重み付け係数よりも大きくてよい。また、社会関係性の強さ「中」に対応する重み付け係数は、社会関係性の強さ「弱」に対応する重み付け係数よりも大きくてよい。また、社会関係性の強さ「弱」に対応する重み付け係数は、社会関係性の強さ「なし」に対応する重み付け係数よりも大きくてよい。
【００８５】
なお、本実施形態では、まず、個人感情推定部１３１が個人感情を推定してから、チーム感情推定部１３５がそれらの集合的データとしてチーム感情を推定する場合を主に想定する。しかし、チーム感情推定部１３５がチームの対象となる複数名のセンサデータから直接的にチーム感情を推定しても構わない。その場合、チーム感情推定部１３５は、センサデータの値自体もしくはその特徴量データ（変換値）に対して、前述の社会関係性の強さに対応する重み付けの演算処理を行っても構わない。
【００８６】
このとき、センサデータの値自体もしくはその特徴量データは、特に限定されない。一例として、センサデータの特徴量データは、脈拍センサによって検出された脈拍から変換された後の心拍数の変化率などであってもよい。たとえば、心拍数の変化率は、心拍数の変化の割合であってよく、たとえば、直前の心拍数に対する現在の心拍数の割合（たとえば、「心拍数が２０％上昇した」、「心拍数が１０％減少した」など）によって表されてもよい。かかるセンサデータの値自体もしくはその特徴量データが、チーム感情の推定に際して、個人感情を示す情報の代わりに利用されてもよい。
【００８７】
図９は、ある組織における個人感情を示す情報とチーム感情を示す情報の一例を示す説明図である。図９には、図７で説明した組織の職制の一例に対応する個人感情を示す情報とチーム感情を示す情報のテーブル１２２が図示されている。ここでは、個人感情を示す情報及びチーム感情を示す情報の一例として量的データのポジティブ度を例示している。
【００８８】
次に、本実施形態に係る「情報提示端末４００」の機能構成の一例を説明する。情報提示端末４００において、制御部４３０は、感情推定サーバ１００が推定したチーム感情を示す情報や個人感情を示す情報を、通信部４１０を介して取得し、それらを可視化して提示部４５０を介してユーザーに提示する。前記ユーザーは、前記チーム感情や個人感情を推定されたユーザー９００でも構わないし、前記チーム感情や個人感情を推定されたユーザー９００とは異なる人物（たとえば、ある組織のメンタルヘルス管理を担当する産業医等）でも構わない。
【００８９】
また、制御部４３０は、前記チーム感情を示す情報や個人感情を示す情報を可視化して提示するにあたり、前述の職制に基づく社会関係性を示す情報を用いてユーザーが情報を理解しやすいように前記チーム感情を示す情報や個人感情を示す情報を「カテゴリ化」して提示してもよい。たとえば、制御部４３０は、あるチームのチーム感情を示す情報を画面に表示する際、そのチームの構成者の個人感情を示す情報を、前記チーム感情を示す情報の近傍領域に併せて提示部４５０を介して提示してもよい。これにより、情報提示端末４００のユーザーは、チーム感情を示す情報とその算出要素となった個人感情を示す情報とを併せて直観的に把握することができる。
【００９０】
また、たとえば、制御部４３０は、複数のチームによる複数のチーム感情を示す情報を画面に表示する際、前記社会関係性を示す情報に基づき、職務上関係性が強いチーム同士ほどより近い領域に互いのチーム感情を示す情報を、提示部４５０を介して提示してもよい。これにより、情報提示端末４００のユーザーは、複数のチームのチーム感情を示す情報を確認する際に、チーム間の職務の関係性の強さに基づきそれらの表示を効率的に観ることができる。
【００９１】
図１０は、情報提示端末４００のアプリケーション画面の一例を示す説明図である。図１０を参照すると、あるチームのあるチーム感情を示す情報（チームＴ１のポジティブ度）とその算出要素となった個人感情を示す情報（チームＴ１に属するユーザーＵ１１〜Ｕ１４のポジティブ度）とが近傍の領域に表示され、同チームの別のチーム感情を示す情報（チームＴ１の疲労度）とその算出要素となった個人感情を示す情報（チームＴ１に属するユーザーＵ１１〜Ｕ１４の疲労度）とが近傍の領域に表示されている。このように、提示部４５０が、感情のカテゴリごとにチーム感情を示す情報と個人感情を示す情報とを提示することによって、チーム感情と個人感情とをカテゴリごとに把握しやすくなる。
【００９２】
なお、図１０に示したように、制御部４３０は、チーム感情及び個人感情の過去の推定情報を履歴として提示させ、時系列グラフ状に情報提示しても構わない（図１０には、グラフの右側線分端がチーム感情及び個人感情の現在の推定情報として示されており、右端から左へ向かうにつれて過去に遡った推定情報が示されている）。
【００９３】
続いて、図１１を参照して、本実施形態に係る情報処理の例を説明する。図１１は、本実施形態に係る感情推定システムの情報処理の概略的な流れの一例を示すフロー図である。ステップＳ１０１で、感情推定サーバ１００は、当感情推定システムの管理者により設定される、チーム感情を推定される対象となるチームとその構成者のパラメータ、推定するチーム感情の種類（たとえばポジティブ度、ネガティブ度、困惑度等）のパラメータ、チーム感情の算出法（たとえば代表値として平均値／中央値／最頻値の選択、社会関係性の強さの分類数、社会関係性の強さに対応する重み付けの係数値等）のパラメータ、などを記憶部１２０に記憶させる。
【００９４】
なお、上記パラメータ類は当情報処理の前に予め管理者により設定されていてもよく、また、前回の情報処理時の設定パラメータが流用されてもよいし、初期設定パラメータがそのまま利用されてもよい。その場合は、当ステップＳ１０１の実行は省略しても構わない。
【００９５】
ステップＳ１０３で、感情推定サーバ１００において、通信部１１０は、センサ端末２００を介して前記チーム感情を推定される対象となるチームの構成者となるユーザー９００の行動や生理反応のセンサデータを取得する。
【００９６】
ステップＳ１０５で、感情推定サーバ１００において、個人感情推定部１３１は、前記ユーザー９００のセンサデータから個人感情の推定処理を行う。なお、本実施形態では、まず個人感情推定部１３１が個人感情を推定してから、チーム感情推定部１３５がそれらの集合的データとしてチーム感情を推定するという処理を例に説明を行った。しかし、前述の通り、チーム感情推定部１３５がチームの対象となる複数名のセンサデータから直接的にチーム感情を推定しても構わない。その場合、チーム感情推定部１３５は、センサデータの値自体もしくはその特徴量データに対して、前述の社会関係性の強さに対応する重み付けの演算処理を行っても構わない。その場合は、当ステップＳ１０５の実行は省略されても構わない。
【００９７】
ステップＳ１０７で、感情推定サーバ１００において、通信部１１０は、職制ＤＢサーバ３００から、前記チーム感情を推定される対象となるチームの構成者となるユーザー９００の職制データを取得し、社会関係性情報管理部１３３は、通信部１１０によって取得された職制データに基づいて、前述の社会ＮＷ情報を生成して、生成した社会ＮＷ情報に基づき社会関係性情報を算出する。
【００９８】
ステップＳ１０９で、チーム感情推定部１３５は、前記個人感情を示す情報と前記社会関係性情報からステップＳ１０１で設定されたチームのチーム感情を推定する。ステップＳ１１１で、情報提示端末４００において、制御部４３０は、感情推定サーバ１００から取得したチーム感情を示す情報やその算出要素となった個人感情を示す情報を提示部４５０に提示させる。なお、推定したチーム感情を示す情報を情報提示端末４００によって提示しない場合は、当ステップＳ１１１の実行は省略しても構わない。
【００９９】
以上のように、本発明の実施形態によれば、職制データという「フォーマル」な社会関係性を示す情報を利用して、個人感情に基づくチーム感情を自動で高精度に推定することができる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０１】
たとえば、上記においては、情報提示端末４００の制御部４３０が、提示部４５０によって提示される各種情報のレイアウトを決める例を主に説明した。しかし、提示部４５０によって提示される各種情報のレイアウトは、他の装置（たとえば、感情推定サーバ１００など）によって決められてもよい。このとき、感情推定サーバ１００は、情報提示端末４００を視認するユーザーの種類（たとえば、ユーザーの役職など）ごとに、提示部４５０によって提示される各種情報のレイアウトを決めてもよい。
【符号の説明】
【０１０２】
１００  感情推定サーバ
１１０  通信部
１２０  記憶部
１３０  制御部
１３１  個人感情推定部
１３３  社会関係性情報管理部
１３５  チーム感情推定部
２００  センサ端末
３００  職制ＤＢサーバ
３１０  通信部
３２０  記憶部
３３０  制御部
４００  情報提示端末
４１０  通信部
４２０  記憶部
４３０  制御部
４４０  操作部
４５０  提示部
【図１】
2018138155.tif 000004
【図２】
2018138155.tif 000005
【図３】
2018138155.tif 000006
【図４】
2018138155.tif 000007
【図５】
2018138155.tif 000008
【図６】
2018138155.tif 000009
【図７】
2018138155.tif 000010
【図８】
2018138155.tif 000011
【図９】
2018138155.tif 000012
【図１０】
2018138155.tif 000013
【図１１】
2018138155.tif 000014